(57)【要約】【課題】ボツリヌス療法患者に対するボツリヌストキシン投与単位の基準となる精度を満たす最大筋電位を取得する筋電位取得装置を提供する。【解決手段】患者に貼付される生体用電極１１、１１と、患者の覚醒時に所定時間経過毎に生体用電極１１、１１から導出された複数の筋電位を取得する筋電位取得部１２と、筋電位取得部１２で取得された複数の筋電位を増幅し、且つ整流化することにより複数の筋電位信号として生成する増幅整流部１３と、増幅整流部１３により生成された複数の筋電位信号毎の最大筋電位を抽出する最大筋電位抽出部１４と、複数の最大筋電位の内、最も大きい最大筋電位を基準最大筋電位とし、基準最大筋電位が所定の条件を満たすか否かを判定する投薬基準判定部１５とを有し、投薬基準判定部１５は、基準最大筋電位が所定の条件を満たす場合、投与単位の基準と判定する。【選択図】図１
2019122655.tif 000002
【特許請求の範囲】
【請求項１】
ボツリヌス療法患者に対するボツリヌストキシン投与単位の基準となる最大筋電位を取得する筋電位取得装置であって、
前記ボツリヌス療法患者に貼付される生体用電極と、
前記ボツリヌス療法患者の覚醒時に所定時間経過毎に前記生体用電極から導出された複数の筋電位を取得する筋電位取得部と、
前記筋電位取得部で取得された前記複数の筋電位をそれぞれ増幅し、且つ整流化することにより複数の筋電位信号として生成する増幅整流部と、
前記増幅整流部により生成された前記複数の筋電位信号毎の最大筋電位を抽出する最大筋電位抽出部と、
前記最大筋電位抽出部により抽出された複数の最大筋電位の内、最も大きい最大筋電位を基準最大筋電位とし、前記基準最大筋電位が所定の条件を満たすか否かを判定する投薬基準判定部と、を有し、
前記投薬基準判定部は、前記基準最大筋電位が前記所定の条件を満たす場合、ボツリヌストキシン投与単位の基準と判定することを特徴とする筋電位取得装置。
【請求項２】
前記投薬基準判定部は、前記最大筋電位抽出部により抽出された複数の最大筋電位と、前記複数の最大筋電位から算出した偏差とから箱ひげ図を作成することを特徴とする請求項１に記載の筋電位取得装置。
【請求項３】
前記所定の条件は、前記基準最大筋電位が、前記投薬基準判定部により作成された前記箱ひげ図の外れ値であるか否かであり、前記外れ値でないと判定された場合、前記所定の条件を満たすことを特徴とする請求項２に記載の筋電位取得装置。
【請求項４】
前記所定の条件は、前記基準最大筋電位が、前記最大筋電位抽出部により抽出された複数の最大筋電位の中央値の外れ値であるか否かであり、前記外れ値でないと判定された場合、前記所定の条件を満たすことを特徴とする請求項１に記載の筋電位取得装置。
【請求項５】
前記所定の条件は、前記基準最大筋電位が、前記最大筋電位抽出部により抽出された複数の最大筋電位の再平均値の外れ値であるか否かであり、前記外れ値でないと判定された場合、前記所定の条件を満たすことを特徴とする請求項１に記載の筋電位取得装置。
【発明の詳細な説明】
【技術分野】
【０００１】
本発明は、ボツリヌス療法患者に対するボツリヌストキシン投与単位の基準となる最大筋電位を取得する筋電位取得装置に関する。
【背景技術】
【０００２】
ボツリヌス療法患者の歯科的治療には、口腔内装置が用いられており、例えば睡眠時ブラキシズムや、閉塞性睡眠時無呼吸（ＯＡＳ）の患者は、睡眠の際に口腔内装置として、マウスピースを、長期間に渡って装着することになる。このような長期間に渡って装着される口腔内装置は、患者の睡眠時の噛締めや、歯ぎしりによって破損が生じることがあり、口腔内装置の継続装着が困難となるケースが増加していた。
【０００３】
このようなボツリヌス療法患者は、口腔内装置の破損に加え、肩こり、頭痛、顎疲労などの症状の悪化が見られる。さらに、これらの症状の悪化により、睡眠の質が低下し、日中の眠気による事故の懸念や、生活の質の低下による健康面への影響が懸念されている。そこで、ボツリヌス療法患者における過剰な咬筋力の抑制方法の一つとして、筋肉を緊張させている神経の働きを抑制させる作用をもたらすボツリヌストキシンを注射するボツリヌス療法が行われている。
【０００４】
このようなボツリヌス療法において、ボツリヌス療法患者に投与されるボツリヌス菌の投与量は、ボツリヌス療法患者の咬筋力の大小に関わらず、医師の経験に基づいて、ボツリヌス菌の投与量を決定している実状があった。
【０００５】
このような実状を踏まえ、本願発明の発明者らは、ボツリヌス療法患者の噛み締めの際に生じる筋電位の最大筋電位を取得し、ボツリヌス療法患者の咬筋力を推定することにより、ボツリヌストキシンの投与量を決定することを考えついた。なお、最大筋電位と咬筋力との間には、必ずしも線形関係が成立していないが、単調増加の関係は成立している。
【０００６】
ここで、ボツリヌス療法患者の咬筋力を測定する手段としては、特許文献１に開示されるような筋活動監視装置が使用されており、筋電位から咬筋力を推定する手段がある。当該筋活動監視装置は、患者に貼付された電極から取得された筋電位に対し、積分処理を実施した筋電積分値を用いて、患者の例えば睡眠時における歯ぎしりの状態の判定を行っていた。
【０００７】
ここで、特許文献１に開示されるような筋活動監視装置は、筋電位がランダム信号であることから、筋電位の周波数情報を解析することにより、咀嚼筋の持続的な収縮によって生じる局所的筋疲労を分析することが目的とされている。また、筋疲労は、筋線維伝導速度が筋の持続的な収縮に伴って周波数成分が低周波することが知られており、この性質を利用して筋疲労の定量化を分析している。具体的には、筋電位の振幅値を、平均整流値（ＡＲＶ）、二乗平方根（ＲＭＳ）、または積分値により、算出した区間筋電位の平均値に基づいて解析を行っている。
【先行技術文献】
【特許文献】
【０００８】
【特許文献１】特開２０１４−１３２９５４号公報
【発明の概要】
【発明が解決しようとする課題】
【０００９】
しかしながら、特許文献１に開示されるような筋活動監視装置は、患者に貼付された電極から取得された筋電位に対し、積分処理を実施していることから、得られた筋電位は平均値化されてしまい、歯科的治療においては潜在的な咬筋力を把握することが重要とされており、患者の咬筋力に適応したボツリヌス療法におけるボツリヌストキシンの投与量を決定するには、患者の正確な最大筋電位を取得する必要があり、特許文献１に開示されるような筋活動監視装置から取得できる積分された最大筋電位では、ボツリヌストキシンの投与量を決定するために必要とされる基準を満たすものではなかった。
【００１０】
本発明は、上記課題に鑑みて、ボツリヌス療法患者に対するボツリヌストキシン投与単位の基準となる精度を満たす最大筋電位を取得する筋電位取得装置を提供することにある。
【課題を解決するための手段】
【００１１】
上記課題を解決するためになされた本発明の筋電位取得装置は、ボツリヌス療法患者に対するボツリヌストキシン投与単位の基準となる最大筋電位を取得する筋電位取得装置であって、前記ボツリヌス療法患者に貼付される生体用電極と、前記ボツリヌス療法患者の覚醒時に所定時間経過毎に前記生体用電極から導出された複数の筋電位を取得する筋電位取得部と、前記筋電位取得部で取得された前記複数の筋電位をそれぞれ増幅し、且つ整流化することにより複数の筋電位信号として生成する増幅整流部と、前記増幅整流部により生成された前記複数の筋電位信号毎の最大筋電位を抽出する最大筋電位抽出部と、前記最大筋電位抽出部により抽出された複数の最大筋電位の内、最も大きい最大筋電位を基準最大筋電位とし、前記基準最大筋電位が所定の条件を満たすか否かを判定する投薬基準判定部と、を有し、前記投薬基準判定部は、前記基準最大筋電位が前記所定の条件を満たす場合、ボツリヌストキシン投与単位の基準と判定することを特徴とする。
この構成により、ボツリヌス療法患者に対するボツリヌストキシン投与単位の基準となる精度を満たす最大筋電位を取得することができる。
【００１２】
また、本発明の筋電位取得装置は、前記投薬基準判定部は、前記最大筋電位抽出部により抽出された複数の最大筋電位と、前記最大筋電位抽出部により抽出された複数の最大筋電位から算出した偏差とから箱ひげ図を作成することを特徴とする。
この構成により、ボツリヌストキシン投与単位の基準となる精度を満たす最大筋電位値を取得することができる。
【００１３】
また、本発明の筋電位取得装置は、前記所定の条件は、前記基準最大筋電位が、前記投薬基準判定部により作成された前記箱ひげ図の外れ値であるか否かであり、前記外れ値でないと判定された場合、前記所定の条件を満たすことを特徴とする。
この構成により、ボツリヌストキシン投与単位の基準となる精度を満たす最大筋電位値を取得することができる。
【００１４】
また、本発明の筋電位取得装置は、前記所定の条件は、前記基準最大筋電位が、前記最大筋電位抽出部により抽出された複数の最大筋電位の中央値の外れ値であるか否かであり、前記外れ値でないと判定された場合、前記所定の条件を満たすことを特徴とする。
この構成により、ボツリヌストキシン投与単位の基準となる精度を満たす最大筋電位値を取得することができる。
【００１５】
また、本発明の筋電位取得装置は、前記所定の条件は、前記基準最大筋電位が、前記最大筋電位抽出部により抽出された複数の最大筋電位の再平均値の外れ値であるか否かであり、前記外れ値でないと判定された場合、前記所定の条件を満たすことを特徴とする。
この構成により、ボツリヌストキシン投与単位の基準となる精度を満たす最大筋電位値を取得することができる。
【発明の効果】
【００１６】
本発明の筋電位取得装置は、ボツリヌス療法患者に対するボツリヌストキシン投与単位の基準となる精度を満たす最大筋電位を取得することができる。
【図面の簡単な説明】
【００１７】
【図１】本発明に係る実施形態の筋電位取得装置のブロック図である。
【図２】（ａ）は、本発明に係る実施形態のボツリヌス療法患者に対する噛み締め状態の筋電図であり、（ｂ）は、（ａ）に示した筋電位振幅を絶対値化したグラフである。
【図３】本発明に係る実施形態の基準最大筋電位がボツリヌストキシン投与単位の基準と判定される処理手順を示すフローチャートである。
【図４】本発明に係る実施形態の基準最大筋電位が投薬基準判定部により作成された箱ひげ図の外れ値であるか否かを判定する処理手順を示すフローチャートである。
【図５】本発明に係る実施形態の筋電位取得装置に係る投薬基準判定部により作成された箱ひげ図の模式図である。
【図６】本発明に係る実施形態の基準最大筋電位が投薬基準判定部により算出された中央値の外れ値であるか否かを判定する処理手順を示すフローチャートである。
【図７】本発明に係る実施形態の基準最大筋電位が投薬基準判定部により算出された再平均値の外れ値であるか否かを判定する処理手順を示すフローチャートである。
【図８】本発明に係る実施形態の筋電位取得装置の変形例に係る表示部に表示される表の一例である。
【発明を実施するための最良の形態】
【００１８】
以下、本発明に係る実施形態の筋電位取得装置を図１に基づいて説明する。図１は、本発明に係る実施形態の筋電位取得装置のブロック図である。
【００１９】
本発明に係る実施形態の筋電位取得装置１０は、ボツリヌス療法患者に対するボツリヌストキシン投与単位の基準となる最大筋電位を取得する筋電位取得装置である。なお、本実施形態では、ボツリヌス療法患者である、睡眠の際に口腔内装置を、長期間に渡って装着する睡眠時ブラキシズムや、閉塞性睡眠時無呼吸（ＯＡＳ）の患者について、以下説明するが、ボツリヌス療法の対象となる患者であれば、睡眠時ブラキシズムや、閉塞性睡眠時無呼吸（ＯＡＳ）の患者に限らず、適応可能である。
【００２０】
筋電位取得装置１０は、ボツリヌス療法患者に貼付される生体用電極１１、１１と、ボツリヌス療法患者の覚醒時に所定時間経過毎に生体用電極１１、１１から導出された複数の筋電位を取得する筋電位取得部１２と、筋電位取得部１２で取得された複数の筋電位をそれぞれ増幅し、且つ整流化することにより複数の筋電位信号として生成する増幅整流部１３と、増幅整流部１３により生成された複数の筋電位信号毎の最大筋電位を抽出する最大筋電位抽出部１４と、最大筋電位抽出部１４により抽出された複数の最大筋電位の内、最も大きい最大筋電位を基準最大筋電位とし、基準最大筋電位が所定の条件を満たすか否かを判定する投薬基準判定部１５と、を有する。なお、筋電位取得部１２、増幅整流部１３、最大筋電位抽出部１４、及び投薬基準判定部１５は、筋電位取得装置１０の制御部として、例えばＣＰＵ等から構成され、後述した記憶部１６に記憶された各処理プログラムを適宜読み出して実施することにより、本発明に係る各種機能を実施する。
【００２１】
また、筋電位取得装置１０は、生体用電極１１、１１から導出された複数の筋電位、増幅整流部１３により生成された筋電位信号、最大筋電位抽出部１４により抽出された最大筋電位に加え、各種データ、及び各処理プログラム等を記憶する記憶部１６を有する。さらに、筋電位取得装置１０は、最大筋電位等を表示することができる表示部１７を有する。なお、筋電位取得装置１０は、有線又は無線により、パソコンや、タブレットPC等の情報通信端末と通信可能であり、筋電位取得装置１０から検出、及び算出された各データを、当該情報通信端末において各種解析することが可能である。また、筋電位取得装置１０は、図１に図示していないがボツリヌス療法患者毎の患者識別番号や、性別、年齢等を入力することが可能な入力部や、筋電位取得装置１０の各種機能を実施させる電源部を有する。
【００２２】
生体用電極１１、１１は、例えば銀塩化銀表面電極（ディスポ電極）であって、ボツリヌス療法患者の咬筋の筋電位を導出するために、ボツリヌス療法患者の咀嚼筋である、咬筋と側頭筋の内、咬筋に対応する皮膚表面に貼付される。また、生体用電極１１、１１は、電極リード線を介して、筋電位取得部１２と電気的に接続されており、ボツリヌス療法患者の噛み締めに応じて生じた筋電位を導出し、筋電位取得部１２へ出力する。
【００２３】
筋電位取得部１２は、生体用電極１１、１１から導出された複数の筋電位を取得する。本実施形態では、筋電位取得部１２は、ボツリヌス療法患者が覚醒時に最大噛締めを２〜３秒間持続した後、例えば所定の休憩時間を挟む動作を複数回繰り返すことによって、生体用電極１１、１１から導出された筋電位を取得する。例えば、ボツリヌス療法患者が最大噛締めを３回繰り返した場合、筋電位が３つ取得され、またボツリヌス療法患者が最大噛締めを５回繰り返した場合、筋電位が５つ取得されることになる。なお、筋電位取得部１２により取得された複数の筋電位は、ボツリヌス療法患者毎に付与された患者識別番号に紐づけられて、記憶部１６に記憶される。
【００２４】
生体用電極１１、１１により導出される咬筋の振幅値は、対象となる筋に対して、最大随意収縮を測定したものであるが、筋のコンディションにより、同じ筋力が発揮されても筋電位は変動することから、筋電位振幅と筋張力の間には単調増加の関係は成立しても、線形関係は必ずしも成立せず、筋電位の振幅値と筋張力とは必ずしも等しくならない。そして、筋電図から咬筋力を推定するためには、同じ筋力であっても筋電位が変動することより、筋電位を複数回測定しないと最大筋電位であるかを判別が困難である。そこで、筋電位取得部１２は、筋電位を複数回取得し、筋電図に見られた極端な値が電極接触不良や、噛締め不良等の要因で偏差が大きい場合の測定値を除外し、最大噛締めであるか否かの妥当性を評価し、測定結果の精度の向上を図っている。
【００２５】
ここで、ボツリヌス療法患者の覚醒時における最大噛み締めは、医療従事者の指示に従い行ってもよいし、筋電位取得装置１０に時間計測部（図示しない）を設け、予め設定した計測開始・終了時間、及び休憩開始・終了時間に合わせて、発生されるピーブ音等の通知音や、発光されるランプの色等に従って、ボツリヌス療法患者に最大噛み締めを行わせてもよい。
【００２６】
増幅整流部１３は、筋電位取得部１２で取得された複数の筋電位をそれぞれ増幅し、且つ整流化することにより複数の筋電位信号として生成する。具体的には、先ず、増幅整流部１３は、差動増幅器により筋電位に含まれる同相成分ノイズ、例えば許容電圧による交流障害を除去し、筋電図を導出する。続いて、低域遮断フィルタが、導出した筋電位から１０Ｈｚ以下の周波数帯を遮断する。１０Ｈｚ以下の周波数帯を遮断することにより、皮膚と生体用電極１１、１１との間で発生する直流の分極電圧を除去することができる。そして、生体増幅器が１０Ｈｚ以下の周波数帯が遮断された筋電図を６０ｄｂ程増幅した後、高域遮断フィルタが当該筋電図の１００Ｈｚ以上をフィルタリングする（図２（ａ）を参照）。このような生体増幅器や高域遮断フィルタにおける処理により、増幅器等から発生するホワイトノイズを除去することができる。このような処理を実施することによって、増幅整流部１３は、筋電位取得部１２で取得された複数の筋電位から、１０Ｈｚ〜１００Ｈｚの表面筋電図を生成することができる（図２（ａ）を参照）。次に、増幅整流部１３は、生成した１０Ｈｚ〜１００Ｈｚの表面筋電図を全波整流器に通し、絶対値へ変換する。具体的には、図２（ｂ）において、陰性波形（破線）を陽性波形（実線）へ反転させて絶対値波形とする。さらに、増幅整流部１３は、Ａ／Ｄ変換器により整流化した筋電位をデジタル化する。なお、上述した全波整流器により、生成した１０Ｈｚ〜１００Ｈｚの表面筋電図を絶対値へ変換せず、デジタル化した後にＲＭＳ（二乗平方根）処理を実施し、平均化することなく、絶対値へ変換することができる。
【００２７】
上述した処理を実施することにより、増幅整流部１３は、筋電位取得部１２で取得された複数の筋電位をそれぞれ筋電位信号として生成し、記憶部１６に記憶させる。なお、増幅整流部１３は、筋電位信号毎に識別番号を付与し、筋電位信号と患者識別番号とを紐づけ、記憶部１６に記憶させるとよい。
【００２８】
最大筋電位抽出部１４は、増幅整流部１３により生成された複数の筋電位信号毎の最大筋電位を抽出する。具体的には、時系列に従って、筋電位信号から筋電位のピーク（図２（ｂ）中の符号Ｐ１を参照）を記憶部１６に最大筋電位として一時記憶させておく。次に、時系列を進め、次に現れた筋電位のピーク（図２（ｂ）中の符号Ｐ２を参照）と記憶部１６に一時記憶させた筋電位のピーク（Ｐ１）とを比較し、次に現れた筋電位のピーク（Ｐ２）が大きい場合、次に現れた筋電位のピーク（Ｐ２）を記憶部１６に最大筋電位として一時記憶させる。一方、記憶部１６に一時記憶させた筋電位のピーク（Ｐ１）が大きい場合、さらに時系列を進め、次に現れる筋電位のピーク（図２（ｂ）中の符号Ｐ３を参照）と比較する。このような処理を、時系列の最後の筋電位のピークまで実施する。そのようにして、最大筋電位抽出部１４は、筋電位信号から最大筋電位（図２（ｂ）中の符号ＰＰを参照）を抽出し、最大筋電位を患者識別番号に紐づけ、記憶部１６に記憶させる。本実施形態では、少なくとも５回分の筋電位信号から、それぞれの最大筋電位が抽出されるため、５つの最大筋電位（ＰＰ）が抽出されることになり、区間筋電位の最大値を取得することができる。ここで、区間筋電位とは、ボツリヌス療法患者によって行われた最大噛締め行為の開始から終了までに検出された筋電位をいう。なお、図２（ｂ）中の符号Ｐ１、Ｐ２、Ｐ３、Ｐ４、及びＰＰは、説明の便宜上付したものである。
【００２９】
投薬基準判定部１５は、最大筋電位抽出部１４により抽出された複数の最大筋電位（ＰＰ）の内、最も大きい最大筋電位（ＰＰ）を基準最大筋電位とし、基準最大筋電位が所定の条件を満たすか否かを判定する。
【００３０】
ここで、所定の条件は、例えば基準条件１〜３の３通りがある。基準条件１は、基準最大筋電位が、最大筋電位抽出部１４により抽出された複数の最大筋電位（ＰＰ）と、最大筋電位抽出部１４により抽出された複数の最大筋電位（ＰＰ）から算出した偏差とに基づいて作成された箱ひげ図の外れ値であるか否かであり、箱ひげ図の外れ値でない場合、基準条件１を満たすことになる。また、基準条件２は、基準最大筋電位が、最大筋電位抽出部１４により抽出された複数の最大筋電位（ＰＰ）の中央値の外れ値であるか否かであり、中央値の外れ値でない場合、基準条件２を満たすことになる。さらに、基準条件３は、基準最大筋電位が、最大筋電位抽出部１４により抽出された複数の最大筋電位（ＰＰ）の再平均値の外れ値であるか否かであり、再平均値の外れ値でない場合、基準条件３を満たすことになる。
【００３１】
基準条件１は、次の通りである。投薬基準判定部１５は、最大筋電位抽出部１４により抽出された複数の最大筋電位（ＰＰ）と、最大筋電位抽出部１４により抽出された複数の最大筋電位（ＰＰ）から算出した偏差とに基づいて、箱ひげ図を作成する。また、投薬基準判定部１５は、基準最大筋電位が箱ひげ図の外れ値でないと判定した場合、基準最大筋電位が基準条件１を満たすと判定する。
【００３２】
本実施形態では、投薬基準判定部１５は、最大筋電位抽出部１４により抽出された複数の最大筋電位（ＰＰ）と、最大筋電位抽出部１４により抽出された複数の最大筋電位（ＰＰ）から算出した偏差とから、先ず四分位数を算出する。具体的には、投薬基準判定部１５は、最大筋電位抽出部１４により抽出された複数の最大筋電位（ＰＰ）、例えば５つの最大筋電位を昇順に並び替え、最大筋電位（ＰＰ）の最小値、最大値を算出する。次に、投薬基準判定部１５は、昇順に並び替えた５つの最大筋電位の内の真ん中の値を中央値として算出する。さらに、投薬基準判定部１５は、第１四分位数、及び第３四分位数を算出する。具体的には、投薬基準判定部１５は、中央値を除いて、中央値より数値が小さい下位データと中央値より数値が大きい上位データとを分けて、下位データの中央値を第１四分位数と、上位データの中央値を第３四分位数とする。そして、投薬基準判定部１５は、最大筋電位の最小値、最大値、中央値、第１四分位数、及び第３四分位数とそれらの偏差とに基づいて、箱ひげ図を作成する。
【００３３】
次に、投薬基準判定部１５は、箱ひげ図の外れ値を算出する。本実施形態では、箱ひげ図の外れ値は、箱ひげ図の最大値が第３四分位数に四分位範囲の１．５倍を加算した値以上である場合とする。箱ひげ図の最大値、すなわち基準最大筋電位が第３四分位数に四分位範囲の１．５倍を加算した値以上の場合、アーチファクト不良、例えば生体用電極１１、１１がボツリヌス療法患者の咬筋に貼付した電極が汗などにより、皮膚表面から浮いてしまい、隙間が生じることによって接触インピーダンスが高くなり、分極電圧が発生したと想定されるからである。
【００３４】
また、基準条件１において、箱ひげ図の最小値が第１四分位数から四分位範囲の１．５倍を減算した値以下である場合、外れ値とする条件を追加してもよい。箱ひげ図の最小値が第１四分位数から四分位範囲の１．５倍を減算した値以下の場合、コンプライアンス不良、例えばボツリヌス療法患者が噛締めを行った際、適切に噛締め行為が行うことができない等の事態が想定されるからである。
【００３５】
次に、基準条件２は、以下の通りである。投薬基準判定部１５は、最大筋電位抽出部１４により抽出された複数の最大筋電位（ＰＰ）の最大値、中央値、最小値、及び偏差を算出する。なお、偏差は、最大値から最小値までの偏差である。また、投薬基準判定部１５は、最大値、すなわち基準最大筋電位が中央値の外れ値であるか否かを判定し、基準最大筋電位が外れ値でないと判定した場合、基準最大筋電位が基準条件２を満たすと判定する。
【００３６】
本実施形態では、投薬基準判定部１５は、最大値が中央値に１．７５を乗算した値以上であるか否かを判定する。そして、投薬基準判定部１５は、最大値が中央値に１．７５を乗算した値以上であれば、最大値を外れ値と判定する。最大値、すなわち基準最大筋電位が、中央値に１．７５を乗算した値以上である場合、上述したアーチファクト不良である可能性が高いからである。なお、基準条件２では、最大値が中央値の外れ値であるか否かを判定する条件として、中央値に１．７５を乗算した値としたのは、基準条件１において、第３四分位数を基準とし、外れ値を判定することに整合させたものである。
【００３７】
また、基準条件２において、投薬基準判定部１５は、最小値が中央値に０．２５を乗算した値以下であるか否かを判定してもよい。そして、投薬基準判定部１５は、最小値が中央値に０．２５を乗算した値以下であれば、最小値を外れ値と判定してもよい。最小値が、中央値に０．２５を乗算した値以下である場合、上述したコンプライアンス不良である可能性が高いからである。
【００３８】
さらに、基準条件３は、以下の通りである。投薬基準判定部１５は、最大筋電位抽出部１４により抽出された複数の最大筋電位（ＰＰ）の最大値、中央値、最小値、平均値、再平均値及び偏差を算出する。なお、偏差は、最大値から最小値までの偏差である。また、投薬基準判定部１５は、最大値、すなわち基準最大筋電位が再平均値の外れ値であるか否かを判定し、基準最大筋電位が外れ値でないと判定した場合、基準最大筋電位が基準条件３を満たすと判定する。
【００３９】
本実施形態では、投薬基準判定部１５は、最大値が平均値に１．５を乗算した値以上であるか否かを判定する。投薬基準判定部１５は、最大値が平均値に１．５を乗算した値以上であれば、平均値に１．５を乗算した値以上と判定した最大値を除いた、中央値、最小値、及び平均値から再平均値を算出する。
【００４０】
投薬基準判定部１５は、平均値に１．５を乗算した値以上と判定した最大値が、再平均値に１．７５を乗算した値以上であるか否かを判定する。そして、投薬基準判定部１５は、平均値に１．５を乗算した値以上と判定した最大値が、再平均値に１．７５を乗算した値以上であれば、最大値を外れ値と判定する。最大値、すなわち基準最大筋電位が、再平均値に１．７５を乗算した値以上である場合、上述したアーチファクト不良である可能性が高いからである。
【００４１】
また、基準条件３において、投薬基準判定部１５は、最小値が平均値に０．５を乗算した値以下であるか否かを判定してもよい。投薬基準判定部１５は、最小値が平均値に０．５を乗算した値以下であれば、平均値に０．５を乗算した値以下と判定した最小値を除いた、最大値、中央値、及び平均値から再平均値を算出する。
【００４２】
投薬基準判定部１５は、平均値に０．５を乗算した値以下と判定した最小値が、再平均値に０．２５を乗算した値以下であるか否かを判定する。そして、投薬基準判定部１５は、平均値に０．５を乗算した値以下と判定した最小値が、再平均値に０．２５を乗算した値以下であれば、最小値を外れ値と判定する。最小値が、再平均値に０．２５を乗算した値以下である場合、上述したコンプライアンス不良である可能性が高いからである。
【００４３】
また、投薬基準判定部１５は、基準最大筋電位が上述した基準条件１、基準条件２、又は基準条件３を満たす場合、ボツリヌストキシン投与単位の基準と判定する。さらに、投薬基準判定部１５は、表示部１７に対し、ボツリヌストキシン投与単位の基準と判定した基準最大筋電位を出力し、表示させる。
【００４４】
そして、投薬基準判定部１５は、基準最大筋電位をボツリヌストキシン投与単位の基準と判定した場合、基準最大筋電位の値に応じて、ボツリヌス療法患者の咬筋力を、「咬筋力弱」、「咬筋力小」、「咬筋力中」、及び「咬筋力強」とレベル分けし、ボツリヌストキシン投与単位を判定し、表示部１７にレベル分けしたボツリヌス療法患者の咬筋力を表示させ、又はボツリヌストキシン投与単位を表示させる構成としてもよい。例えば、「咬筋力弱」は、基準最大筋電位が０．５ｍＶ以下とし、ボツリヌストキシンの投与は不要とする。「咬筋力小」は、基準最大筋電位が０．５ｍＶ以上１ｍＶ未満とし、ボツリヌストキシンの投与単位は２０単位とする。「咬筋力中」は、基準最大筋電位が１ｍＶ以上３ｍＶ未満とし、ボツリヌストキシンの投与単位は２５単位とする。「咬筋力強」は、基準最大筋電位が３ｍＶ以上とし、ボツリヌストキシンの投与単位は３０単位とする。なお、ボツリヌストキシン１瓶当たり１００単位（４ｃｃ）とし、２５単位を１ｃｃとする。
【００４５】
一方、投薬基準判定部１５は、基準最大筋電位が基準条件１、基準条件２、又は基準条件３を満たさない場合、ボツリヌストキシン投与単位の基準としない旨を通知する。基準最大筋電位が基準条件１、基準条件２、又は基準条件３を満たさない場合、投薬基準判定部１５は、基準最大筋電位が生体用電極１１、１１の装着不良や、ボツリヌス療法患者の噛み締め行為の不良等の要因による異常所見であると推定されるため、ボツリヌストキシン投与単位の基準としないと判定する。
【００４６】
この際、投薬基準判定部１５は、表示部１７に対し、外れ値である旨を示す通知を出力する。当該通知は、ピーブ音等の通知音の発生、ランプの点灯、又はエラーメッセージの表示等により知らせる構成としてもよい。さらに、投薬基準判定部１５は、外れ値と判定した場合、表示部１７に対し、新たに筋電位の取得を促す旨の通知を出力してもよい。その際、投薬基準判定部１５は、筋電位取得部１２に対し、改めて複数の筋電位を取得させる指示を出力する構成としてもよい。
【００４７】
上述した増幅筋電部１３、最大筋電位抽出部１４、及び投薬基準判定部１５は、記憶部１６に記憶された各処理プログラムを適宜読み出して実行し、筋電位取得装置１０に係る各種機能を実現している。
【００４８】
次に、筋電位取得装置１０に係る最大筋電位がボツリヌストキシン投与単位の基準と判定される処理手順を、図３に示すフローチャートに基づいて、以下説明する。なお、以下処理手順は、ボツリヌス療法患者による最大噛み締め行為が５回行われた場合とする。また、ボツリヌス療法患者による最大噛み締め行為が５回以上であれば、同様な処理手順を実施することが可能である。
【００４９】
医療従事者は、生体用電極１１、１１を、ボツリヌス療法患者の咀嚼筋である、咬筋に対応する皮膚表面に貼付する。その後、ボツリヌス療法患者は、医療従事者の指示に従って、覚醒時に、最大噛み締めを２〜３秒間持続した後、所定の休憩時間を挟む行為を、５回繰り返す。その際、生体用電極１１、１１は、ボツリヌス療法患者の最大噛み締めの際に咬筋から生じた５回分の筋電位を導出し、筋電位取得部１２へ出力する（ステップＳ１０１）。
【００５０】
次に、筋電位取得部１２は、ボツリヌス療法患者の覚醒時に所定の休憩時間経過毎に生体用電極１１、１１から取得された５回分の筋電位を取得する（ステップＳ１０２）。ここで、筋電位取得部１２は、取得した５回分の筋電位をボツリヌス療法患者毎に付与された患者識別番号に紐づけて、記憶部１６に記憶させる。
【００５１】
増幅整流部１３は、筋電位取得部１２で取得された５回分の筋電位をそれぞれ増幅し、且つ整流化し、５回分の筋電位信号として生成する（ステップＳ１０３）。具体的には、先ず、増幅整流部１３は、差動増幅器により筋電位に含まれる同相成分ノイズを除去し、筋電図を導出する。続いて、低域遮断フィルタが、導出した筋電位から１０Ｈｚ以下の周波数帯を遮断する。そして、生体増幅器が１０Ｈｚ以下の周波数帯が遮断された筋電図を６０程増幅した後、高域遮断フィルタが当該筋電図の１００Ｈｚ以上をフィルタリングする。こうして、増幅整流部１３は、筋電位取得部１２で取得された複数の筋電位から、１０Ｈｚ〜１００Ｈｚの表面筋電図を生成する（図２（ａ）を参照）。次に、増幅整流部１３は、生成した１０Ｈｚ〜１００Ｈｚの表面筋電図を全波整流器に通すことにより、絶対値へ変換する。具体的には、図２（ｂ）において、陰性波形（破線）を陽性波形（実線）へ反転させて整流波形とする。さらに、増幅整流部１３は、Ａ／Ｄ変換器により整流化した筋電位をデジタル化する。
【００５２】
最大筋電位抽出部１４は、増幅整流部１３により生成された５回分の筋電位信号毎の最大筋電位を抽出する（ステップＳ１０４）。具体的には、最大筋電位抽出部１４は、時系列に従って、筋電位信号から筋電位のピークを抽出し（図２（ｂ）中の符号Ｐ１を参照）、記憶部１６に最大筋電位として一時記憶させる。次に、最大筋電位抽出部１４は、時系列を進め、次に現れた筋電位のピーク（図２（ｂ）中の符号Ｐ２を参照）を抽出し、抽出した次に現れた筋電位のピーク（Ｐ２）と記憶部１６に一時記憶させた筋電位のピーク（Ｐ１）とのどちらが大きいか否かを比較する。
【００５３】
ここで、最大筋電位抽出部１４は、次に現れた筋電位のピーク（Ｐ２）が大きいと判断した場合、記憶部１６に一時記憶させた筋電位のピーク（Ｐ１）を削除し、次に現れた筋電位のピーク（Ｐ２）を記憶部１６に最大筋電位として一時記憶させる。一方、最大筋電位抽出部１４は、記憶部１６に一時記憶させた筋電位のピーク（Ｐ１）が大きいと判断した場合、さらに時系列を進め、次に現れる筋電位のピーク（図２（ｂ）中の符号Ｐ３を参照）と記憶部１６に一時記憶させた筋電位のピーク（Ｐ１）とのどちらが大きいか否かを比較する。
【００５４】
このように、最大筋電位抽出部１４は、上述した処理を、時系列の最後の筋電位のピークまで実施し、最も大きい筋電位のピークを最大筋電位（図２（ｂ）中の符号ＰPを参照）として抽出する。また、最大筋電位抽出部１４は、５回分の筋電位信号に対し、上述した処理をそれぞれ実施し、５回分の最大筋電位（ＰP）を抽出する。そして、最大筋電位抽出部１４は、抽出した最大筋電位（ＰP）を、ボツリヌス療法患者毎に付与された患者識別番号に紐づけて、記憶部１６に記憶させる。
【００５５】
投薬基準判定部１５は、最大筋電位抽出部１４により抽出された５回分の最大筋電位（ＰＰ）の内、最も大きい最大筋電位を基準最大筋電位とし、基準最大筋電位が所定の条件を満たすか否かを判定する（ステップＳ１０５）。ここで、所定の条件、例えば基準条件１は、基準最大筋電位が箱ひげ図の外れ値であるか否かを判定し、基準最大筋電位が箱ひげ図の外れ値でないと判定した場合、基準条件１を満たすと判定する。
【００５６】
本実施形態では、投薬基準判定部１５は、最大筋電位抽出部１４により抽出された５回分の最大筋電位と、最大筋電位抽出部１４により抽出された５回分の最大筋電位（ＰＰ）から算出した偏差とから箱ひげ図を作成する。基準最大筋電位が投薬基準判定部１５により作成された箱ひげ図の外れ値であるか否かを判定する処理手順について、図４を用いて、以下説明する。
【００５７】
投薬基準判定部１５は、最大筋電位抽出部１４により抽出された５回分の最大筋電位と、最大筋電位抽出部１４により抽出された５回分の最大筋電位から算出した偏差とから、四分位数を算出する（ステップＳ２０１）。
【００５８】
本実施形態では、先ず投薬基準判定部１５は、最大筋電位抽出部１４により抽出された５回分の最大筋電位（ＰＰ）を昇順に並び替え、最大筋電位の最小値、最大値を算出する。また、投薬基準判定部１５は、昇順に並び替えた５つの最大筋電位の内の真ん中の値を中央値として算出する。さらに、投薬基準判定部１５は、偏差を算出する。なお、偏差は最大値から最小値までの偏差である。
【００５９】
次に、投薬基準判定部１５は、第１四分位数、及び第３四分位数を算出する。投薬基準判定部１５は、中央値を除いて、中央値より数値が小さい下位データと中央値より数値が大きい上位データとを分けて、下位データの中央値を第１四分位数と、上位データの中央値を第３四分位数とする。
【００６０】
そして、投薬基準判定部１５は、最大筋電位の最小値、最大値、中央値、第１四分位数、及び第３四分位数とより、箱ひげ図を作成する（ステップＳ２０２）。
【００６１】
ここで、実施例１として、筋電位抽出部１４により抽出された５回分の最大筋電位（ＰＰ）が、１回目：３ｍＶ、２回目：４．５ｍＶ、３回目：２．６ｍＶ、４回目：５ｍＶ、５回目：３．６ｍＶとした場合、投薬基準判定部１５は、以下のように箱ひげ図を作成する。
【００６２】
投薬基準判定部１５は、箱ひげ図を作成するために、最大筋電位の最小値、最大値、中央値、第１四分位数、及び第３四分位数を算出する。先ず、投薬基準判定部１５は、最大筋電位抽出部１４により抽出された５回分の最大筋電位を、２．６ｍＶ、３ｍＶ、３．６ｍＶ、４．５ｍＶ、５ｍＶへ並べ替え、最大筋電位の最小値を２．６ｍＶと、最大筋電位の最大値を５ｍＶと算出する。次に、投薬基準判定部１５は、最大筋電位の中央値を３．６ｍＶと算出する。さらに、投薬基準判定部１５は、最大筋電位の第１四分位数を３ｍＶと、最大筋電位の第１四分位数を４．５ｍＶと算出する。そして、投薬基準判定部１５は、算出した最大筋電位の最小値、最大値、中央値、第１四分位数、及び第３四分位数と偏差とに基づいて、図５に示す箱ひげ図を作成する。
【００６３】
次に、投薬基準判定部１５は、箱ひげ図の外れ値を算出する（ステップＳ２０３）。箱ひげ図の外れ値は、第３四分位数に四分位範囲の１．５倍を加算した値を外れ値とする。
【００６４】
実施例１では、投薬基準判定部１５は、図５に示す箱ひげ図の最大値が第３四分位数に四分位範囲の１．５倍を加算した値である６．７５ｍＶ以上であるか否かを判定する（ステップＳ２０４）。そして、投薬基準判定部１５は、図５に示す箱ひげ図の最大値が第３四分位数に四分位範囲の１．５倍を加算した値である６．７５ｍＶ以上である場合、箱ひげ図の最大値を外れ値と判定する（ステップＳ２０５）。箱ひげ図の最大値が第３四分位数に四分位範囲の１．５倍を加算した値以上の場合、上述したアーチファクト不良である可能性が高いからである。
【００６５】
実施例１では、投薬基準判定部１５は、箱ひげ図の最大値（５ｍＶ）は、第３四分位数に四分位範囲の１．５倍を加算した値である６．７５ｍＶ以下であるから、箱ひげ図の最大値を外れ値でないと判定する。そして、投薬基準判定部１５は、図３に示すフローチャートのステップＳ１０５の基準条件１を満たすと判定し、ステップＳ１０６へ進む。一方、投薬基準判定部１５により、箱ひげ図の最大値が外れ値であると判定された場合、図３に示すフローチャートのステップＳ１０５の基準条件１を満たさないと判定され、ステップＳ１０７へ進む。
【００６６】
なお、箱ひげ図の外れ値として、箱ひげ図の最小値が第１四分位数から四分位範囲の１．５倍を減算した値以下である場合を加えてもよい。実施例１では、投薬基準判定部１５は、図５に示す箱ひげ図の最小値が第１四分位数から四分位範囲の１．５倍を減算した値である１．５ｍＶ以下である場合、図５に示す箱ひげ図の最小値を外れ値と判定する。箱ひげ図の最小値が第１四分位数から四分位範囲の１．５倍を減算した値以下の場合、上述したコンプライアンス不良である可能性が高いからである。
【００６７】
実施例１では、投薬基準判定部１５は、箱ひげ図の最小値（２．６ｍＶ）は、第３四分位数に四分位範囲の０．５倍を加算した値である１．５ｍＶ以上であるから、箱ひげ図の最小値を外れ値でないと判定する。そして、投薬基準判定部１５は、図３に示すフローチャートのステップＳ１０５の基準条件１を満たすと判定し、ステップＳ１０６へ進む。一方、投薬基準判定部１５により、箱ひげ図の最小値が外れ値であると判定された場合、図３に示すフローチャートのステップＳ１０５の基準条件１を満たさないと判定され、ステップＳ１０７へ進む。
【００６８】
そして、投薬基準判定部１５は、基準最大筋電位が箱ひげ図の外れ値でないと判定した場合、ボツリヌストキシン投与単位の基準と判定する（ステップＳ１０６）。さらに、投薬基準判定部１５は、表示部１７に対し、ボツリヌストキシン投与単位の基準と判定した基準最大筋電位を出力し、表示させる。
テップＳ１０６）。
【００６９】
実施例１では、投薬基準判定部１５は、図５に示す箱ひげ図の最大値、すなわち基準最大筋電位（５ｍＶ）が箱ひげ図の外れ値（６．７５ｍＶ）以下であるから、箱ひげ図の外れ値でないと判定し、基準最大筋電位（５ｍＶ）をボツリヌストキシン投与単位の基準と判定する。
【００７０】
ここで、投薬基準判定部１５は、基準最大筋電位の値に応じて、ボツリヌス療法患者の咬筋力を、「咬筋力弱」、「咬筋力小」、「咬筋力中」、及び「咬筋力強」とレベル分けし、ボツリヌストキシン投与単位を判定してもよい。例えば、基準最大筋電位が０．５ｍＶ以下である場合、「咬筋力弱」と、基準最大筋電位が０．５ｍＶ以上１ｍＶ未満である場合、「咬筋力小」と、基準最大筋電位が１ｍＶ以上３ｍＶ未満である場合、「咬筋力中」と、基準最大筋電位が３ｍＶ以上である場合、「咬筋力強」と判定する。実施例１では、基準最大筋電位が５ｍＶであるから、「咬筋力強」と判定される。そして、投薬基準判定部１５は、ボツリヌストキシン投与単位を判定し、表示部１７にレベル分けしたボツリヌス療法患者の咬筋力を表示させ、又はボツリヌストキシン投与単位を表示させる構成としてもよい。
【００７１】
一方、投薬基準判定部１５は、基準最大筋電位が箱ひげ図の外れ値であると判定した場合、ボツリヌストキシン投与単位の基準としないと判定する（ステップＳ１０７）。ここで、投薬基準判定部１５は、表示部１７に対し、ボツリヌストキシン投与単位の基準としなかった旨を示す通知を出力する。当該通知は、ランプを点灯や、エラーメッセージの表示等により知らせる構成としてもよい。また、投薬基準判定部１５は、筋電位取得部１２に対し、新たに５回分の筋電位を取得する旨の通知をする構成としてもよい。
【００７２】
上述した筋電位取得装置１０の最大筋電位がボツリヌストキシン投与単位の基準と判定される処理手順は、基準最大筋電位が箱ひげ図の外れ値でない場合、ボツリヌストキシン投与単位の基準と判定する処理であるが、箱ひげ図を作成するには、ボツリヌス療法患者の最大噛み締めによる筋電位が少なくとも５回分以上の取得が必要となる。
【００７３】
一方、ボツリヌス療法患者の最大噛み締めによる筋電位が３回分、又は４回分の取得である場合、箱ひげ図を作成し、箱ひげ図の外れ値でないことを判定することは困難である。そこで、箱ひげ図の外れ値を判定する処理と別の処理手順として、基準最大筋電位が中央値の外れ値であるか否かを判定する処理手順を図６に示すフローチャートを用いて、以下説明する。なお、上述した基準最大筋電位が箱ひげ図の外れ値であるか否かを判定する処理手順と同様な処理については説明を省略する。
【００７４】
投薬基準判定部１５は、最大筋電位抽出部１４により抽出された３回分の最大筋電位（ＰＰ）の内、最も大きい最大筋電位を基準最大筋電位とし、基準最大筋電位が基準条件２を満たすか否かを判定する。
【００７５】
投薬基準判定部１５は、最大筋電位抽出部１４により抽出された複数の最大筋電位（ＰＰ）の最大値、中央値、最小値、及び偏差を算出する（ステップＳ３０１）。なお、偏差は最大値から最小値までの偏差である。
【００７６】
ここで、実施例２として、筋電位抽出部１４により抽出された３回分の最大筋電位（ＰＰ）が、１回目：６ｍV、２回目：５ｍＶ、３回目：４ｍＶとした場合、投薬基準判定部１５は、最大値を６ｍVと、中央値を５ｍVと、最小値を４ｍVと、偏差を２ｍＶと算出する。さらに、実施例３として、筋電位抽出部１４により抽出された３回分の最大筋電位（ＰＰ）が、１回目：６ｍV、２回目：５ｍＶ、３回目：１ｍＶとした場合、投薬基準判定部１５は、最大値を６ｍVと、中央値を５ｍVと、最小値を１ｍVと、偏差を５ｍＶと算出する。また、実施例４として、筋電位抽出部１４により抽出された３回分の最大筋電位（ＰＰ）が、１回目：９ｍV、２回目：５ｍＶ、３回目：４ｍＶとした場合、投薬基準判定部１５は、最大値を９ｍVと、中央値を５ｍVと、最小値を４ｍVと、偏差を５ｍＶと算出する。
【００７７】
次に、投薬基準判定部１５は、最大筋電位抽出部１４により抽出された複数の最大筋電位（ＰＰ）の内、最大値が中央値の外れ値であるか否かを判定する（ステップＳ３０２）。そして、投薬基準判定部１５は、最大値が中央値に１．７５を乗算した値以上である場合、最大値を外れ値と判定する（ステップＳ３０３）。最大値が中央値に１．７５を乗算した値以上である場合、上述したアーチファクト不良である可能性が高いからである。
【００７８】
実施例２では、最大値（６ｍＶ）は、中央値に１．７５を乗算した値（８．７５ｍＶ）未満であるから、最大値（６ｍＶ）は外れ値でないと判定される。また、実施例３では、最大値（６ｍＶ）は、中央値に１．７５を乗算した値（８．７５ｍＶ）未満であるから、最大値（６ｍＶ）は外れ値でないと判定される。さらに、実施例４では、最大値（９ｍＶ）は、中央値に１．７５を乗算した値（８．７５ｍＶ）以上であるから、最大値（９ｍＶ）は外れ値であると判定される。
【００７９】
さらに、投薬基準判定部１５は、最小値が中央値に０．２５を乗算した値以下であるか否かを判定してもよい。最小値が中央値に０．２５を乗算した値以下である場合、上述したコンプライアンス不良である可能性が高いからである。
【００８０】
実施例２では、最小値（４ｍＶ）は、中央値に０．２５を乗算した値（１．２５ｍＶ）以上であるから、最小値（４ｍＶ）は外れ値でないと判定される。また、実施例３では、最小値（１ｍＶ）は、中央値に０．２５を乗算した値（１．２５ｍＶ）以下であるから、最小値（１ｍＶ）は外れ値であると判定される。さらに、実施例４では、最小値（４ｍＶ）は、中央値に０．２５を乗算した値（１．２５ｍＶ）以上であるから、最小値（４ｍＶ）は外れ値でないと判定される。
【００８１】
実施例２〜４において、実施例２の最大値、及び最小値は中央値の外れ値でないと判定されたことにより、図３に示すフローチャートのステップＳ１０５の基準条件２を満たすと判定され、ステップＳ１０６へ進む。一方、実施例３の最小値は中央値の外れ値であると判定されたことにより、図３に示すフローチャートのステップＳ１０５の基準条件２を満たさないと判定され、ステップＳ１０７へ進む。また、実施例３の最大値が中央値の外れ値であると判定されたことにより、図３に示すフローチャートのステップＳ１０５の基準条件２を満たさないと判定され、ステップＳ１０７へ進む。
【００８２】
上述した外れ値を判定する処理とまた別の処理手順として、基準最大筋電位が再平均値の外れ値であるか否かを判定する処理手順を図７に示すフローチャートを用いて、以下説明する。なお、上述した基準最大筋電位が箱ひげ図、又は中央値の外れ値であるか否か判定する処理手順と同様な処理については説明を省略する。
【００８３】
投薬基準判定部１５は、最大筋電位抽出部１４により抽出された３回分の最大筋電位（ＰＰ）の内、最も大きい最大筋電位を基準最大筋電位とし、基準最大筋電位が基準条件３を満たすか否かを判定する。
【００８４】
投薬基準判定部１５は、最大筋電位抽出部１４により抽出された複数の最大筋電位（ＰＰ）の最大値、中央値、最小値、平均値、及び偏差を算出する（ステップＳ４０１）。なお、偏差は最大値から最小値までの偏差である。
【００８５】
ここで、実施例５として、筋電位抽出部１４により抽出された３回分の最大筋電位（ＰＰ）が、１回目：６ｍV、２回目：５ｍＶ、３回目：４ｍＶとした場合、投薬基準判定部１５は、最大値を６ｍVと、中央値を５ｍVと、最小値を４ｍV、平均値を５ｍＶと、偏差を２ｍＶと算出する。さらに、実施例６として、筋電位抽出部１４により抽出された３回分の最大筋電位（ＰＰ）が、１回目：６ｍV、２回目：５ｍＶ、３回目：１ｍＶとした場合、投薬基準判定部１５は、最大値を６ｍVと、中央値を５ｍVとし、最小値を１ｍVと、平均値を４ｍＶと、偏差を５ｍＶと算出する。また、実施例７として、筋電位抽出部１４により抽出された３回分の最大筋電位（ＰＰ）が、１回目：１０ｍV、２回目：５ｍＶ、３回目：４ｍＶとした場合、投薬基準判定部１５は、最大値を１０ｍVと、中央値を５ｍVと、最小値を４ｍVと、平均値を６．３ｍＶと、偏差を５ｍＶと算出する。
【００８６】
次に、投薬基準判定部１５は、最大筋電位抽出部１４により抽出された複数の最大筋電位（ＰＰ）の内、最大値が平均値に１．５を乗算した値以上であるか否かを判定する（ステップＳ４０２）。そして、投薬基準判定部１５は、最大値が平均値に１．５を乗算した値以上であれば、平均値に１．５を乗算した値以上と判定した最大値を除いた、中央値、最小値、及び平均値から再平均値を算出する。（ステップＳ４０３）。
【００８７】
実施例５では、最大値（６ｍＶ）は、平均値（５ｍＶ）に１．５を乗算した値（７．５ｍＶ）以下であるから、最大値（６ｍＶ）は外れ値でないと判定される。また、実施例６では、最大値（６ｍＶ）は、平均値（４ｍＶ）に１．５を乗算した値（６ｍＶ）以下であるから、最大値（６ｍＶ）は外れ値でないと判定される。さらに、実施例７では、最大値（１０ｍＶ）は、平均値（６．３ｍＶ）に１．５を乗算した値（９．４５ｍＶ）以上であるから、最大値（１０ｍＶ）を除いた、中央値（５ｍＶ）、最小値（４ｍＶ）、及び平均値（６．３ｍＶ）から再平均値を算出する。
【００８８】
さらに、投薬基準判定部１５は、平均値に１．５を乗算した値以上と判定した最大値が、再平均値に１．７５を乗算した値以上であるか否かを判定する（ステップＳ４０４）。そして、投薬基準判定部１５は、平均値に１．５を乗算した値以上と判定した最大値が、再平均値に１．７５を乗算した値以上であれば、最大値を再平均値の外れ値と判定する（ステップＳ４０５）。最大値、すなわち基準最大筋電位が、再平均値に１．７５を乗算した値以上である場合、上述したアーチファクト不良である可能性が高いからである。
【００８９】
実施例５、６の最大値は、外れ値でないと判定されたことにより、再平均値は算出されない。一方、実施例７は、最大値（１０ｍＶ）を除いた、中央値（５ｍＶ）、最小値（４ｍＶ）、及び平均値（６．３ｍＶ）から再平均値（５．１ｍＶ）が算出される。そして、実施例７は、最大値（１０ｍＶ）が再平均値（５．１ｍＶ）に１．７５を乗算した値以上であると判定され、最大値（１０ｍＶ）は再平均値の外れ値であると判定される。
【００９０】
さらに、投薬基準判定部１５は、最小値が平均値に０．５を乗算した値以下であるか否かを判定してもよい。そして、投薬基準判定部１５は、最小値が平均値に０．５を乗算した値以下であれば、平均値に０．５を乗算した値以下と判定された最小値を除いた、最大値、中央値、及び平均値から再平均値を算出する。
【００９１】
実施例５では、最小値（４ｍＶ）は、平均値（５ｍＶ）に０．５を乗算した値（２．５ｍＶ）以上であるから、最小値（４ｍＶ）は外れ値でないと判定される。また、実施例６では、最小値（１ｍＶ）は、平均値（４ｍＶ）に０．５を乗算した値（２．５ｍＶ）以下であるから、最小値（１ｍＶ）を除いた、最大値（６ｍＶ）、中央値（５ｍＶ）、及び平均値（４ｍＶ）から再平均値を算出する。さらに、実施例７では、最小値（４ｍＶ）は、平均値（６．３ｍＶ）に０．５を乗算した値（３．１５ｍＶ）以上であるから、最小値（４ｍＶ）は外れ値でないと判定される。
【００９２】
さらに、投薬基準判定部１５は、平均値に０．５を乗算した値以下と判定された最小値が、再平均値に０．２５を乗算した値以下であるか否かを判定する。そして、投薬基準判定部１５は、平均値に０．５を乗算した値以下と判定された最小値が、再平均値に０．２５を乗算した値以下であれば、最小値を再平均値の外れ値と判定する。最小値が、再平均値に０．２５を乗算した値以下である場合、上述したコンプライアンス不良である可能性が高いからである。
【００９３】
実施例５、７の最小値は、外れ値でないと判定されたことにより、再平均値は算出されない。一方、実施例６は、最小値（１ｍＶ）を除いた、最大値（６ｍＶ）、中央値（５ｍＶ）、及び平均値（４ｍＶ）から再平均値（５ｍＶ）が算出される。そして、実施例６は、最小値（１ｍＶ）が再平均値（５ｍＶ）に０．２５を乗算した値（１．２５ｍＶ）以下であるから、最小値（１ｍＶ）は再平均値の外れ値であると判定される。
【００９４】
実施例５〜７において、実施例５の最大値、及び最小値は再平均値の外れ値でないと判定され、図３に示すフローチャートのステップＳ１０５の基準条件３を満たすと判定され、ステップＳ１０６に進む。一方、実施例６の最小値は再平均値の外れ値であると判定されたことにより、図３に示すフローチャートのステップＳ１０５の基準条件３を満たさないと判定され、ステップＳ１０７に進む。また、実施例７の最大値は再平均値の外れ値であると判定されたことにより、図３に示すフローチャートのステップＳ１０５の基準条件３を満たさないと判定され、ステップＳ１０７に進む。
【００９５】
また、所定の条件である基準条件１〜３のいずれか一つ、またそれらを適宜組み合わせてもよく、適宜変更可能である。
【００９６】
本発明の筋電位取得装置１０は、複数回の筋電位を測定し、その偏差から母集団の妥当性を算出して咬筋力を推定しているため、筋のコンディションにより、同じ筋力が発揮されても筋電位が変動したとしても、算出した咬筋力の信頼性を担保することができる。
【００９７】
本発明の筋電位取得装置１０は、咬筋の最大筋電位を積分処理しない最大筋電位を取得することにより、ボツリヌス療法患者の潜在的な咬筋力を正確に把握することができ、ボツリヌストキシン投与単位の適正量を決定することができる。
【００９８】
また、本発明の筋電位取得装置１０は、咬筋の最大筋電位を正確に取得することができるため、ボツリヌス治療介入前後の抑制効果を判読することができる。さらに、適切なボツリヌス療法を行うことにより、歯ぎしり、肩こり、片頭痛、顎疲労等の治療介入効果や閉塞性睡眠時無呼吸の歯科的治療として、口腔内装置の破損を抑制することができ、閉塞性睡眠時無呼吸（ＯＡＳ）治療の継続性を図ることができる。また、睡眠時のブラキシズムの改善により、睡眠の質や健康ＱＯＬ（クオリティオブライフ）の向上を図ることができる。
【００９９】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを包含する。
【０１００】
上述した本実施形態では、ボツリヌス療法患者に対し、ボツリヌストキシン投与単位の基準と判定された咀嚼筋の最大筋電位が、表示部１７に表示される構成であるが、ボツリヌス療法患者に対し、ボツリヌス療法の開始前と、所定期間経過後との咀嚼筋の最大筋電位を比較できるよう、図８に示すような表にして、表示させてもよい。
【０１０１】
ボツリヌス療法患者毎に付与された患者識別番号に、基準最大筋電位を紐づけるとともに、基準最大筋電位の測定日情報を紐づけて、記憶部１６に記憶させる構成とすることにより、図８に示すような表として、表示させることができる。また、ボツリヌス療法の開始前と、所定期間経過後との咀嚼筋の最大筋電位を容易に比較できるため、ボツリヌス療法患者のボツリヌス療法により、最大筋電位が減少していると共に、複数取得された筋電位の最大値から最小値までの偏差も減少していることを確認することができ、ボツリヌス療法による咬筋の抑制効果を容易に判別することができる。なお、図８中の「治療介入前」はボツリヌス療法の介入前を示し、「治療介入後」はボツリヌス療法の介入後３ヶ月経過後を示し、「経過観察」はボツリヌス療法の介入後１年経過後を示す。
【０１０２】
上述した本実施形態では、ボツリヌス療法患者に対し、ボツリヌストキシン投与単位の基準となる咀嚼筋の最大筋電位を取得する構成について説明したが、咀嚼筋以外の他の筋活動の最大筋電位を取得し、ボツリヌストキシン投与単位の基準としてもよい。
【符号の説明】
【０１０３】
１０…筋電位取得装置
１１…生体用電極
１２…筋電位取得部
１３…増幅整流部
１４…最大筋電位抽出部
１５…投薬基準判定部
１６…記憶部
１７…表示部
【図１】
2019122655.tif 000003
【図２】
2019122655.tif 000004
【図３】
2019122655.tif 000005
【図４】
2019122655.tif 000006
【図５】
2019122655.tif 000007
【図６】
2019122655.tif 000008
【図７】
2019122655.tif 000009
【図８】
2019122655.tif 000010